(57)【要約】【課題】  撮影レンズを装着するレンズ装着部と撮像素子との間に配置される光学素子の、被写体光が入射する側の表面の清掃を効率良く行うことができるカメラを提供する。【解決手段】  撮影レンズ４を着脱可能なレンズ装着部８と、前記レンズ装着部８に装着された前記撮影レンズ４を介した被写体光１３を撮像する撮像素子１２と、前記レンズ装着部８と前記撮像素子１２との間に配置される光学素子１４とを有する撮像部と、光源３０から射出される照明光を、前記光学素子１４の、前記被写体光１３が入射する側の表面１４ａに沿って進行させる照明部３０，３２とを備える。【選択図】  図１
2011023847.tif 000002
【特許請求の範囲】
【請求項１】
撮影レンズを着脱可能なレンズ装着部と、
前記レンズ装着部に装着された前記撮影レンズを介した被写体光を撮像する撮像素子と、前記レンズ装着部と前記撮像素子との間に配置される光学素子とを有する撮像部と、
光源から射出される照明光を、前記光学素子の、前記被写体光が入射する側の表面に沿って進行させる照明部と、
を備えることを特徴とするカメラ。
【請求項２】
前記光学素子は、前記レンズ装着部の近傍に配置されることを特徴とする請求項１記載のカメラ。
【請求項３】
前記照明部は、前記照明光を前記表面に対して略平行な方向に射出する導光部を備えることを特徴とする請求項１または請求項２記載のカメラ。
【請求項４】
前記照明部は、前記表面に対して略平行な方向に進行する光と、前記撮影レンズの光軸方向と略平行な方向に進行する光とに、前記照明光を分割する光分割部材を備えることを特徴とする請求項１または請求項２記載のカメラ。
【請求項５】
前記照明部は、前記照明光を前記表面に対して略平行な方向に進行させる第１状態と、前記照明光を前記撮影レンズの光軸方向と略平行な方向に進行させる第２状態とに切換え可能な切換部を備えることを特徴とする請求項１または請求項２記載のカメラ。
【請求項６】
前記切換部は、前記第２状態を通常の状態とし、所定の操作部材が操作された際に前記第１状態に切り換えることを特徴とする請求項５記載のカメラ。
【請求項７】
前記照明部は、前記照明光を前記表面に沿って拡散させる拡散部を備えることを特徴とする請求項１〜請求項６の何れか一項に記載のカメラ。
【発明の詳細な説明】
【技術分野】
【０００１】
本発明は、撮影レンズを着脱可能なレンズ装着部を備えたカメラに関するものである。
【背景技術】
【０００２】
撮影レンズを着脱可能なレンズ装着部を備えたカメラにおいては、撮影レンズの取り付けや取り外しを行った際、ゴミ、埃等がレンズ装着部からカメラ内に侵入し、これらゴミ、埃等が撮像素子の受光面、または撮像素子の受光面側に設けられている光学素子の表面に付着する場合がある。このようにゴミ、埃等が撮像素子や光学素子の表面に付着した状態で撮影を行った場合、撮影画像にゴミ、埃等も写ってしまうという問題があった。したがって、これらゴミ、埃等を除去する必要があるが、外部からの光が届かないカメラ内の奥深くに収容されている撮像素子や光学素子の表面に付着したゴミ、埃等を視認するのは困難であり、表面のどの部分を清掃すべきか判別できない場合があった。したがって、ＬＥＤ（発光ダイオード）を備え、ＬＥＤにより撮像素子の受光面を照明することにより受光面に付着したゴミ、埃等の視認を容易にするカメラが提案されている（例えば、特許文献１参照）。
【先行技術文献】
【特許文献】
【０００３】
【特許文献１】特開２００４−３２１８９号公報
【発明の概要】
【発明が解決しようとする課題】
【０００４】
ところで、上述の特許文献１記載のカメラにおいては、ＬＥＤから射出される照明光を撮像ユニットの受光面に向けて照射させているため、照明光の一部は撮像ユニットの受光面により反射される。この受光面により反射される光が眩しく、受光面上に付着しているゴミ、埃等を直に視認するのが困難な場合があった。
【０００５】
本発明の目的は、撮影レンズを装着するレンズ装着部と撮像素子との間に配置される光学素子の、被写体光が入射する側の表面の清掃を効率良く行うことができるカメラを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明のカメラは、撮影レンズ（４）を着脱可能なレンズ装着部（８）と、前記レンズ装着部（８）に装着された前記撮影レンズ（４）を介した被写体光（１３）を撮像する撮像素子（１２）と、前記レンズ装着部（８）と前記撮像素子（１２）との間に配置される光学素子（１４）とを有する撮像部と、光源（３０）から射出される照明光を、前記光学素子（１４）の、前記被写体光（１３）が入射する側の表面（１４ａ）に沿って進行させる照明部（３０，３２）とを備えることを特徴とする。
【発明の効果】
【０００８】
本発明のカメラによれば、撮影レンズを装着するレンズ装着部と撮像素子との間に配置される光学素子の、被写体光が入射する側の表面の清掃を効率良く行うことができる。
【図面の簡単な説明】
【０００９】
【図１】第１の実施の形態に係るカメラ及び撮影レンズの構成を示す図である。
【図２】第１の実施の形態に係るカメラの構成を示す正面図である。
【図３】第２の実施の形態に係るカメラ及び撮影レンズの構成を示す図である。
【図４】第３の実施の形態に係るカメラ及び撮影レンズの構成を示す図である。
【発明を実施するための形態】
【００１０】
以下、図面を参照して、本発明の第１の実施の形態に係るカメラについて説明する。図１は、第１の実施の形態に係るカメラ２及びカメラ２に装着されている撮影レンズ４の構成を示す図である。図１に示すように、撮影レンズ４は、レンズユニット６を備えており、カメラ２に設けられているカメラマウント部８に対して着脱可能に構成されている。図１においては、撮影レンズ４は、撮影レンズ４に設けられているレンズマウント部１０をカメラマウント部８中央のマウント開口部に差し込み、レンズマウント部１０をカメラマウント部８に締結させることによりカメラ２に固定されている。
【００１１】
カメラ２の内部には、ＣＣＤまたはＣＭＯＳ等により構成される撮像素子１２、レンズユニット６と撮像素子１２との間の被写体光１３の光路中に配置される保護部材１４、及び保護部材１４と撮像素子１２との間の被写体光１３の光路中に配置される光学フィルタ１６が設けられている。レンズユニット６を介した被写体光１３は、保護部材１４、光学フィルタ１６を通過して撮像素子１２の撮像センサー面１２ａにおいて結像し、撮像される。
【００１２】
撮像素子１２は、撮像素子固定板１８上に固着保持されており、撮像素子固定板１８は、カメラ２のカメラ筐体２０に固定されている。また、撮像素子１２及び光学フィルタ１６は、防塵部材２２及び弾性部材２４を介して、撮像素子部密封用ブロック２６により密閉保持されている。更に、保護部材１４はカメラ筐体２０に取り付けられており、撮像素子１２及び光学フィルタ１６は、撮像素子部密封用ブロック２６、保護部材１４、保護部材１４と撮像素子部密封用ブロック２２との間の防塵部材２８、及び撮像素子固定板１８により、カメラ２の内部において密封されている。したがって、撮影レンズ４をカメラ２から取り外した場合においても、撮像素子１２及び光学フィルタ１６の表面にゴミや埃等が付着することはない。
【００１３】
また、カメラ２の内部には、ＬＥＤ（発光ダイオード）等により構成される光源３０、及び保護部材１４の、被写体光１３が入射する側の表面１４ａに沿って光源３０から射出される照明光を進行させる導光部材３２が設けられている。導光部材３２は、カメラマウント部８の近傍であって、保護板３４の背面に配置されている。即ち、導光部材３２は、カメラ２の外部から視認することができない位置に配置されている。光源３０から図中左方向に射出される指向性の強い照明光は、保護部材１４の表面１４ａに対して略垂直方向に進行し、導光部材３２に入射する。導光部材３２に入射した照明光は、反射面３２ａにより反射され、保護部材１４の表面１４ａに対して略平行な方向（図中下方向）に進行し、導光部材３２の射出側端部３２ｂから射出する。図２は、カメラ２の正面図である。図２に示すように、射出側端部３２ｂは、射出側端部３２ｂから射出する指向性の強い照明光が保護部材１４の表面１４ａに対して略平行な面上に拡散するように、凸面により構成されている。そして、射出側端部３２ｂの凸面は、照明光が保護部材１４の表面１４ａに対して略平行な面上に拡散するような拡散面を有している。
【００１４】
したがって、導光部材３２から射出する照明光は、保護部材１４の表面１４ａ（ひいては、光学フィルタ１３及び撮像素子１４の表面）を直接照明しないが、保護部材１４の表面１４ａの、被写体光１３の光束を導くために必要な有効範囲１４ｂ（図２において破線で示す領域）を、暗所であっても視認することができる程度に明るく照らす。また、撮像素子１２の撮像センサー面１２ａに照明光が入射しないため、照明光が撮像センサー面１２ａにより反射されることもなく、撮像センサー面１２ａからの反射光により表面１４ａの視認が困難になることもない。
【００１５】
また、図２に示すように、カメラ２の上面には、光源３０の点灯及び消灯を切り換えるための照明点灯用ボタン３６が設けられている。照明点灯用ボタン３６の押下を継続している間は、光源３０は点灯し、照明点灯用ボタン３６の押下を中止すると、光源３０は消灯する。
【００１６】
例えば、撮影レンズ４の取付け及び取外しを繰り返すことにより、ゴミ、埃等がマウント開口部からカメラ２内に侵入し、保護部材１４の表面１４ａに付着した場合には、まず、ユーザーは、撮影レンズ４をカメラ２から取り外す。そして、照明点灯用ボタン３６を押下することにより光源３０を点灯させて、保護部材１４の表面１４ａを照明し、表面１４ａのどの部分にゴミや埃が付着しているかを確認する。次に、吸引、吹飛ばし、拭取り等により表面１４ａに付着したゴミや埃を取り除く。そして、ゴミ、埃等を取り除いた後、照明点灯用ボタン３６の押下を中止することにより光源３０を消灯させる。なお、この実施の形態では、右利きのユーザーが図２に示すカメラ２のグリップ３８を下にしてカメラ２を保持し、右手でゴミや埃を取り除く作業を行う場合に、左手の親指で押下できる位置に照明点灯用ボタン３６を設けているが、他の部分に設けることもできる。また、この実施の形態では、照明点灯用ボタン３６を押下している間、光源３０が点灯を継続する構成を例に挙げて説明しているが、光源３０が消灯しているときに照明点灯用ボタン３６を押下すると光源３０が点灯を開始し、光源３０が点灯しているときに照明点灯用ボタン３６を押下すると光源３０が消灯する構成にすることもできる。
【００１７】
第１の実施の形態に係るカメラ２によれば、保護素子１４の表面１４ａを照明する光源３０や光源３０からの照明光を導光する導光部材３２を備えているため、暗所においても表面１４ａのゴミや埃等を視認することができる。また、光源３０からの照明光は、保護素子１４の表面１４ａに対して略平行な方向に進行し、表面１４ａを直接照明しないため、撮像素子１２の撮像センサー面１２ａからの反射光により表面１４ａに付着したゴミや埃等の視認が困難になることもない。したがって、表面１４ａのゴミや埃等を確実に取り除くことができ、かつ表面１４ａの清掃を効率良く行うことができる。
【００１８】
次に、図面を参照して、本発明の第２の実施の形態に係るカメラについて説明する。なお、第２の実施の形態に係るカメラ４０（図３参照）においては、第１の実施の形態に係るカメラ２の構成と同一の構成の説明を省略し、同一の構成には同一の符号を用いて説明を行う。
【００１９】
図３は、第２の実施の形態に係るカメラ４０及び撮影レンズ４の構成を示す図である。なお、図３においては、撮影レンズ４は、カメラ４０から取り外されている。カメラ４０の内部には、保護部材１４の、被写体光が入射する側の表面１４ａに沿って光源３０から射出される照明光の一部を進行させる導光部材４２が設けられている。導光部材４２は、入射する照明光を分割する半透過反射面４２ａを有する複合プリズムにより構成されており、カメラマウント部８の近傍に配置されている。光源３０から図中左方向に射出される指向性の強い照明光は、保護部材１４の表面１４ａに対して略垂直方向に進行し、導光部材４２に入射する。導光部材４２に入射した照明光の一部は、半透過反射面４２ａを透過して、撮影レンズ４の光軸方向と略平行な方向（図中左方向）に進行し、カメラ２の外部に射出し、カメラマウント部８やその周辺を照明する。したがって、例えば、暗所で撮影レンズ４をカメラ２に取り付ける場合には、まず、ユーザーは、照明点灯用ボタン３６を押下することにより光源３０を点灯させて、カメラマウント部８やその周辺を照明し、撮影レンズ４をカメラ２のマウント開口部に差し込む。そして、撮影レンズ４をマウント開口部に差し込んだ後、または撮影レンズ４をカメラ２に完全に取り付けた後、照明点灯用ボタン３６の押下を中止すことにより光源３０を消灯させる。このように、暗所であっても、カメラマウント部８やその周辺を照明することができるため、撮影レンズ４をカメラ２に容易に取り付けることができる。
【００２０】
一方、導光部材４２に入射した照明光の他部は、半透過反射面４２ａにより反射され、保護部材１４の表面１４ａに対して略平行な方向（図中下方向）に進行し、導光部材４２の射出側端部４２ｂから射出する。射出側端部４２ｂは、第１の実施の形態に係る射出側端部３２ｂと同様の構成を有している。射出側端部４２ｂから射出する照明光は、保護部材１４の表面１４ａ（ひいては、光学フィルタ１３及び撮像素子１４の表面）を直接照明しないが、保護部材１４の表面１４ａを、暗所であっても視認することができる程度に明るく照らす。したがって、表面１４ａのゴミや埃等を確実に取り除くことができ、かつ表面１４ａの清掃を効率良く行うことができる。
【００２１】
第２の実施の形態に係るカメラ４０によれば、第１の実施の形態に係るカメラ２における効果に加えて、光源３０からの照明光を分割する半透過反射面４２ａを有する導光部材４２を備えているため、暗所においてもカメラマウント部８やその周辺を照明することができ、撮影レンズ４の交換を容易に行うことができる。
【００２２】
次に、図面を参照して、第３の実施の形態に係るカメラについて説明する。なお、第３の実施の形態に係るカメラ５０（図４参照）においては、第１の実施の形態に係るカメラ２の構成と同一の構成の説明を省略し、同一の構成には同一の符号を用いて説明を行う。
【００２３】
図４は、第３の実施の形態に係るカメラ５０及び撮影レンズ４の構成を示す図である。なお、図４においては、撮影レンズ４は、カメラ５０から取り外されている。カメラ５０の内部には、保護部材１４の、被写体光が入射する側の表面１４ａに沿って光源３０から射出される照明光を進行させる反射ミラー５２及び凸レンズ５４が設けられている。反射ミラー５２及び凸レンズ５４は、カメラマウント部８の近傍に配置されている。反射ミラー５２は、図中矢印方向、即ち軸５２ａ回りに回動可能に構成されており、図４に示すように反射ミラー５２を光源３０からの照明光の光路中に配置し、照明光の進行方向を略９０度偏向させる第１状態と、反射ミラー５２を図中上方向に回動することにより光源３０からの照明光の光路中から退避させる第２状態とに切換え可能に構成されている。即ち、照明光を保護部材１４の表面１４ａに対して略平行な方向（図中下方向）に進行させる第１状態と、照明光を撮影レンズ４の光軸方向と略平行な方向（図中左方向）に進行させる第２状態とに切換え可能に構成されている。
【００２４】
第１状態の場合、即ち反射ミラー５２を光源３０からの照明光の光路中に配置させている場合には、光源３０からの照明光は、保護部材１４の表面１４ａに対して略垂直方向（図中左方向）に進行し、反射ミラー５２により反射されて、保護部材１４の表面１４ａに対して略平行な方向（図中下方向）に進行し、凸レンズ５４の射出側端部５４ｂから射出する。射出側端部５４ｂは、第１の実施の形態に係る射出側端部３２ｂと同様の構成を有している。射出側端部５４ｂから射出する照明光は、保護部材１４の表面１４ａ（ひいては、光学フィルタ１３及び撮像素子１４の表面）を直接照明しないが、保護部材１４の表面１４ａを、暗所であっても視認することができる程度に明るく照らす。したがって、表面１４ａのゴミや埃等を取り除く際には、反射ミラー５２を第１状態に切り換えて、表面１４ａを照明する。
【００２５】
一方、第２状態の場合、即ち反射ミラー５２を光源３０からの照明光の光路中から退避させている場合には、光源３０からの照明光は、保護部材１４の表面１４ａに対して略垂直方向（図中左方向）に進行し、カメラ２の外部に射出し、カメラマウント部８やその周辺を照明する。したがって、撮影レンズ４をカメラ２に取り付ける際には、反射ミラー５２を第２状態に切り換えて、カメラマウント部８やその周辺を照明する。このように、第２状態に切り換えることによりカメラマウント部８やその周辺を照明することができるため、暗所であっても撮影レンズ４をカメラ２に容易に取り付けることができる。なお、この実施の形態では、所定期間内において保護部材１４の表面１４ａを清掃する回数より撮影レンズ４をカメラ２に取り付ける回数が多いため、反射ミラー５２は、通常は光源３０から射出される照明光の光路中から退避されている。即ち、第２状態を通常の状態とし、第２状態から第１状態への切換は、切換のための操作部材（図示せず）を操作（例えば、押下）することにより行う。または、カメラの各種設定を行うメニューの中のメニュー項目に「保護部材１４の表面１４ａの清掃用照明への切換」等の項目を加え、メニュー画面を表示し、操作することにより第２状態から第１状態へ切換える。
【００２６】
第３の実施の形態に係るカメラ５０によれば、第１及び第２の実施の形態に係るカメラ２，４０における効果に加えて、光源３０からの照明光の進行方向を切り換えることができる反射ミラー５２を備えているため、反射ミラー５２を第１状態と第２状態との間で切り換えることにより、光源３０からの照明光を、撮影レンズ４の交換を行う場合と、保護部材１４の表面１４ａの清掃を行う場合との間で使い分けることができる。
【００２７】
なお、上述の各実施の形態においては、光源３０から照明光を射出させるための照明点灯用ボタン３６を備えているが、照明点灯用ボタン３６の代わりに、カメラの各種設定を行うメニューの中のメニュー項目に「保護部材１４の表面１４ａの清掃用照明点灯」等の項目を加え、メニュー画面を表示し、操作することにより光源３０の点灯及び消灯を行うようにしてもよい。
【００２８】
また、上述の各実施の形態においては、保護部材１４の表面１４ａを照明し、清掃しているが、保護部材１４を備えていないカメラの場合における光学フィルタの表面の照明及び清掃にも本発明を適用することができる。
【００２９】
また、上述の各実施の形態においては、射出側端部３２ｂ，４２ｂ，５４ｂが凸面により構成され、かつ凸面が拡散面を有しているが、射出側端部が拡散面を有さない凸面により構成されていてもよく、または射出側端部が凸面でない拡散面を有していてもよい。
【符号の説明】
【００３０】
２，４０，５０…カメラ、４…撮影レンズ、６…レンズユニット、８…カメラマウント部、１０…レンズマウント部、１２…撮像素子、１４…保護部材、１６…光学フィルタ、３０…光源、３２，４２…導光部材、３６…照明点灯用ボタン、５２…反射ミラー、５４…凸レンズ。
【図１】
2011023847.tif 000003
【図２】
2011023847.tif 000004
【図３】
2011023847.tif 000005
【図４】
2011023847.tif 000006